(57)【要約】【課題】  軽量で安価な合成樹脂製の筺体３用いて充分な放熱効果が得られるＬＥＤ照明灯を提供する。【解決手段】  内部にＬＥＤ９のドライバ４が収容され、前部に開口部２を有する合成樹脂製の筺体３と、筺体３の前部に取付けられ、中央部に開口部２に連なる円形孔１１を有する合成樹脂製のレンズ枠６と、レンズ枠６に取付けられ、円形孔１１内に配置された金属製リング状の放熱部材８と、放熱部材８の裏面に取付けられ、かつ放熱部材８の内方における前部にＬＥＤ９が搭載された基板１０と、放熱部材８の内周に取付けられ、ＬＥＤ９の前方に設けられたレンズ７とを備える。【選択図】図２
2010232022.tif 000002
【特許請求の範囲】
【請求項１】
内部にＬＥＤのドライバが収容され、前部に開口部を有する合成樹脂製の筺体と、
前記筺体の前部に取付けられ、中央部に前記開口部に連なる円形孔を有する合成樹脂製のレンズ枠と、
前記レンズ枠に取付けられ、前記円形孔内に配置された金属製リング状の放熱部材と、
前記放熱部材の裏面に取付けられ、かつ前記放熱部材の内方における前部にＬＥＤが搭載された基板と、
前記放熱部材の内周に取付けられ、前記ＬＥＤの前方に設けられたレンズとを備えることを特徴とするＬＥＤ照明灯。
【請求項２】
前記放熱部材は、環状の放熱板と、この放熱板の前面に設けられた放熱リングとからなり、前記放熱板は、前記レンズ枠及びレンズの後部に当接されるとともに、この放熱板に前記基板が取付けられ、前記放熱リングは、前記レンズと前記レンズ枠との間に介在されていることを特徴とする請求項１記載のＬＥＤ照明灯。
【請求項３】
前記レンズ枠の前部には、前記レンズより前方に突出するリング状突出部を設けたことを特徴とする請求項１または２記載のＬＥＤ照明灯。
【請求項４】
前記筺体と前記レンズ枠との当接面には、パッキンを介在させて、レンズ枠を筺体に締付け固定してあることを特徴とする請求項１〜３のいずれかに記載ＬＥＤ照明灯。
【発明の詳細な説明】
【技術分野】
【０００１】
本発明は、ＬＥＤ（発光ダイオード）を用いた完全密閉型の照明灯に関する。
【背景技術】
【０００２】
ＬＥＤは、多様な用途の高輝度の照明灯として用いられているが、発熱量も比較的大きいため、例えば船舶用等、屋外で用いられる密閉型のＬＥＤ照明灯においては、放熱に注意を払う必要がある。ＬＥＤを収納する筺体が金属製の場合には、筺体自体に充分の放熱効果を持たせることができるが、筺体全体を金属製にすると、大型の照明灯では、重量も大きく、価格も高価になるという問題がある。これを避けるため、軽量の合成樹脂で構成した筺体を用い、その内側表面に熱伝導性の良好な金属メッキや金属箔などによる金属層を形成し、この金属層を介して熱を逃がすようにした前照灯がある（例えば、特許文献１参照）。
【先行技術文献】
【特許文献】
【０００３】
【特許文献１】特開２００８−２７７２３７号公報
【発明の概要】
【発明が解決しようとする課題】
【０００４】
特許文献１に記載されている発明では、熱伝導性が低い合成樹脂の欠点を補うため、内表面に熱伝導性がある金属層を設けて、ＬＥＤからの熱を金属層全体で面方向に熱を逃がすことを意図しているが、やはり、合成樹脂製の筺体から外部に熱を放出させる効果は充分ではなく、また筺体表面全体を金属層で覆うため、高価になるという課題は解消されない。
【０００５】
本発明は、上記のような問題点に鑑み、合成樹脂製の筺体を用いて、軽量化および低価格化をはかるとともに、充分な放熱効果が得られるようにした、ＬＥＤ照明灯を提供することを目的としている。
【課題を解決するための手段】
【０００６】
本発明によると、上記課題は、次のようにして解決される。
(１)  内部にＬＥＤのドライバが収容され、前部に開口部を有する合成樹脂製の筺体と、前記筺体の前部に取付けられ、中央部に前記開口部に連なる円形孔を有する合成樹脂製のレンズ枠と、前記レンズ枠に取付けられ、前記円形孔内に配置された金属製リング状の放熱部材と、前記放熱部材の裏面に取付けられ、かつ前記放熱部材の内方における前部にＬＥＤが搭載された基板と、前記放熱部材の内周に取付けられ、前記ＬＥＤの前方に設けられたレンズとを備えている。
【０００７】
このような構成とすると、筺体及びレンズ枠というＬＥＤ照明灯の主要部分が、合成樹脂で構成されるため、軽量化、低価格化が図れ、かつ金属製リング状の放熱部材により、ＬＥＤから発生する熱は、レンズの周囲から外部に効率よく放出され、筺体及びレンズ枠等が熱により損傷することが防止される。
【０００８】
(２)  上記(１)項において、前記放熱部材は、環状の放熱板と、この放熱板の前面に設けられた放熱リングとからなり、前記放熱板は、前記レンズ枠及びレンズの後部に当接されるとともに、放熱板に前記基板が取付けられ、かつ前記放熱リングは、前記レンズと前記レンズ枠との間に介在されている。
【０００９】
このような構成とすると、ＬＥＤから発生する熱は、基板から放熱板および放熱リングに伝わり、放熱リングから効率よく放熱され、かつ放熱板及び放熱リングからなる放熱部材を、体裁よく、レンズ枠に収めることができる。
【００１０】
(３)  上記(１)または(２)項において、前記レンズ枠の前部には、前記レンズより前方に突出するリング状突出部を設ける。
【００１１】
このような構成とすると、レンズから出射する光は、リング状突出部により遮られ、かつリング状突出部が反射鏡の役目を果たすため、光が周囲に分散することなく、前方に有効に投射される。
【００１２】
(４)  上記(１)〜(３)項のいずれかにおいて、前記筺体と前記レンズ枠との当接面には、パッキンを介在させて、レンズ枠を筺体に締付け固定してある。
【００１３】
このような構成とすると、レンズ枠は、筺体に対し強く密着し、筺体内を気密状態に保つことができ、船舶等の塩分を含む風雨にさらされる場所での使用が可能となる。
【発明の効果】
【００１４】
本発明によると、合成樹脂製の筺体を用いるため、軽量化や低価格化を図ることができ、かつ充分な放熱効果が得られるＬＥＤ照明灯を提供することができる。
【図面の簡単な説明】
【００１５】
【図１】本発明のＬＥＤ照明灯の実施形態を示す正面図である。
【図２】図１のII−II線断面図である。
【発明を実施するための最良の形態】
【００１６】
以下、本発明の一実施形態を，図面に基づいて説明する。
図１は、本発明の一実施形態を備えるＬＥＤ照明灯の正面図、図２は、図１のII―II線断面図である。
【００１７】
図１及び図２において、ＬＥＤ照明灯１は、前部（図２の上部）に円形の開口部２を有する合成樹脂製の筺体３を備えている。筺体３内には、ＬＥＤのドライバ４が収容されている。筺体３の前端部外周であって、図１、図２における左右に、ブラケット４ａ、４ｂが形成されている。筺体３の前部には、開口部２を覆うように、レンズユニット５が取付けられている。
【００１８】
レンズユニット５は、周囲のレンズ枠６と、中央部のレンズ７と、レンズ枠６とレンズ７の間に介在されている放熱部材８と、放熱部材８の後部に取付けられ、前面にＬＥＤ９が搭載された基板１０とを備えている。
【００１９】
レンズ枠６は、内周に円形孔１１を有する合成樹脂製のリング状のもので、前部には、リング状突出部１２が形成され、図１、図２における左右には、取付舌片６ａ、６ｂが形成されている。筺体３の左側のブラケット４ａには、ヒンジ１３が回動自在に挿入され、レンズ枠６の取付舌片６ａの前部から、止ねじ１４をヒンジ１３にねじ込むことにより、取付舌片６ａはブラケット４ａに締め付け固定されている。ブラケット４ａの外端部には、弧状部１５が形成されている。
【００２０】
筺体３の右側のブラケット４ｂと、レンズ枠６の取付舌片６ｂは、止ねじ１６により締付固定されている。レンズ枠６と筺体３との間には、パッキン１７が設けられ、筺体３内の気密を保っている。
【００２１】
放熱部材８は、レンズ枠６の内周に取付けられている。放熱部材８は、中央に透孔８ｃを有する環状の放熱板８ａの前面に放熱リング８ｂを取付けたもので、全体がアルミニウム等の金属で構成されている。
【００２２】
放熱リング８ｂの外周に形成された段部１８と、レンズ枠６の内周に形成された段部１９を係合させることにより、放熱部材８は、前方への抜けが防止される。
【００２３】
放熱リング８ｂの内周には、レンズ７が嵌め込まれている。レンズ７の後端外周に形成された段部２０と、放熱リング８ｂの内周に形成された段部２１とを係合させることにより、レンズ７の前方への抜けは防止される。
【００２４】
放熱板８ａは、レンズ枠６の後面に、止めねじ２２により固着され、放熱リング８ｂ及びレンズ７の後面に当接されている。放熱リング８ｂの内周及び外周には、Ｏリング２３が設けられ、レンズ７と放熱リング８ｂ間、レンズ枠６と放熱リング８ｂ間の気密を保っている。放熱板８ａの後面には、放熱板８ａの透孔８ｃ内に位置する前面にＬＥＤ９を搭載した基板１０が取付けられている。
【００２５】
レンズユニット５を開けるには、止ねじ１６を外し、止ねじ１４を緩めることにより、レンズユニット５を、ヒンジ１３を回転軸として、弧状部１５に沿って回転させ、開口部２を開放することができる。
【００２６】
以上から明らかなように、この実施形態においては、筺体３及びレンズ枠６というＬＥＤ照明灯の主要部分が、合成樹脂で構成されるため、軽量、安価なＬＥＤ照明灯が得られるとともに、金属製リング状の放熱部材８により、ＬＥＤ９から発生する熱は、レンズ７の周囲から外部に効率よく放出され、筺体３及びレンズ枠６等が熱により損傷することが防止される。
【符号の説明】
【００２７】
１  ＬＥＤ照明灯
２  開口部
３  筺体
４ａ、４ｂ  ブラケット
５  レンズユニット
６  レンズ枠
６ａ、６ｂ  取付舌片
７  レンズ
８  放熱部材
８ａ  放熱板
８ｂ  放熱リング
８ｃ  透孔
９  ＬＥＤ
１０  基板
１１  円形孔
１２  リング状突出部
１３  ヒンジ
１４  止ねじ
１５  弧状部
１６  止ねじ
１７  パッキン
１８、１９、２０、２１  段部
２２  止めねじ
２３  Ｏリング
【図１】
2010232022.tif 000003
【図２】
2010232022.tif 000004